(57)【要約】【課題】野菜室に十分な湿気を供給することができる冷蔵庫を提供する。【解決手段】実施形態の冷蔵庫は、冷蔵室と、第一湿度検知手段が設けられた野菜室と、冷媒の圧縮を行う圧縮機と、前記圧縮機から供給される前記冷媒の蒸発熱を利用して庫内の空気の冷却を行う冷却器と、前記冷却器を備えた冷却室と、前記空気を送る送風ファンと、前記冷却室から前記冷蔵室へ通じる第一風路と、前記冷却室から前記野菜室へ通じる第二風路と、前記第一風路を流れる空気の量を制限するダンパと、前記圧縮機から前記冷却器への前記冷媒の供給を停止した状態で前記送風ファンを駆動し、前記冷却器に付着した霜を融解させる除霜運転を行い、前記除霜運転において前記第一湿度検知手段による検知に基づいて前記ダンパを制御する制御手段と、を備える。【選択図】図２
2017026221.tif 000002
【特許請求の範囲】
【請求項１】
冷蔵室と、
第一湿度検知手段が設けられた野菜室と、
冷媒の圧縮を行う圧縮機と、
前記圧縮機から供給される前記冷媒の蒸発熱を利用して庫内の空気の冷却を行う冷却器と、
前記冷却器を備えた冷却室と、
前記空気を送る送風ファンと、
前記冷却室から前記冷蔵室へ通じる第一風路と、
前記冷却室から前記野菜室へ通じる第二風路と、
前記第一風路を流れる空気の量を制限するダンパと、
前記圧縮機から前記冷却器への前記冷媒の供給を停止した状態で前記送風ファンを駆動し、前記冷却器に付着した霜を融解させる除霜運転を行い、前記除霜運転において前記第一湿度検知手段による検知に基づいて前記ダンパを制御する制御手段と、
を備える冷蔵庫。
【請求項２】
前記野菜室は、前記第一風路を通じた空気の流れについて、前記冷蔵室の下流に存在する請求項１に記載の冷蔵庫。
【請求項３】
前記第一風路を通じて送られた空気は、前記野菜室を通らず、
前記第二風路を通じて送られた空気は、前記冷蔵室を通らない
請求項１に記載の冷蔵庫。
【請求項４】
前記ダンパは、前記第一風路と前記第二風路とを選択的に切り替える請求項２に記載の冷蔵庫。
【請求項５】
前記ダンパは、前記第一風路を開閉し、前記第二風路を開閉しない請求項２又は３に記載の冷蔵庫。
【請求項６】
前記冷蔵室には、第二湿度検知手段が設けられており、
前記制御手段は、前記第一湿度検知手段及び前記第二湿度検知手段の両方に基づいて前記ダンパを開閉する請求項１から５のうちいずれか一項に記載の冷蔵庫。
【請求項７】
前記第一湿度検知手段は、複数の湿度センサを含み、
前記制御手段は、前記複数の湿度センサによる複数の検知湿度のうち最も小さいものに基づいて前記ダンパを制御する請求項１から６のうちいずれか一項に記載の冷蔵庫。
【発明の詳細な説明】
【技術分野】
【０００１】
本発明の実施形態は、冷蔵庫に関する。
【背景技術】
【０００２】
冷蔵用冷却器への冷媒の供給を停止した状態で冷蔵用送風ファンを駆動することにより、冷蔵用冷却器に付着した霜を融解及び蒸発させて冷蔵室や野菜室に湿気を供給する除霜運転を行う冷蔵庫が知られている。
【０００３】
ところで、野菜室は、生野菜等の乾燥に敏感な食品が投入されることが多いが、冷蔵室よりも高温となるように設計されているため、飽和水蒸気圧が大きく、相対湿度が低くなりやすい。従って、野菜室には十分な湿気を供給することが好ましい。
【０００４】
しかしながら、従来の冷蔵庫では、除霜運転において、冷蔵室に湿気の多くが供給されてしまい、野菜室に十分な湿気を供給できないことがあった。
【先行技術文献】
【特許文献】
【０００５】
【特許文献１】特開２０１２−２２０１５９号公報
【発明の概要】
【発明が解決しようとする課題】
【０００６】
本発明が解決しようとする課題は、野菜室に十分な湿気を供給することができる冷蔵庫を提供することである。
【課題を解決するための手段】
【０００７】
上記課題を達成するために、実施形態の冷蔵庫は、冷蔵室と、第一湿度検知手段が設けられた野菜室と、冷媒の圧縮を行う圧縮機と、前記圧縮機から供給される前記冷媒の蒸発熱を利用して庫内の空気の冷却を行う冷却器と、前記冷却器を備えた冷却室と、前記空気を送る送風ファンと、前記冷却室から前記冷蔵室へ通じる第一風路と、前記冷却室から前記野菜室へ通じる第二風路と、前記第一風路を流れる空気の量を制限するダンパと、前記圧縮機から前記冷却器への前記冷媒の供給を停止した状態で前記送風ファンを駆動し、前記冷却器に付着した霜を融解させる除霜運転を行い、前記除霜運転において前記第一湿度検知手段による検知に基づいて前記ダンパを制御する制御手段と、を備える。
【図面の簡単な説明】
【０００８】
【図１】第一の実施形態の冷蔵庫の外観正面図
【図２】第一の実施形態における冷蔵室の下部及び野菜室の構造を示す概略的縦断側面図
【図３】第一の実施形態の冷媒回路を示す概略図
【図４】第一の実施形態の循環風路を示す概念図
【図５】第一の実施形態の制御系を示すブロック図
【図６】第一の実施形態の冷蔵運転停止時における制御を示すフローチャート
【図７】第二の実施形態における冷蔵室の下部及び野菜室の構造を示す概略的縦断側面図
【図８】第三の実施形態の循環風路を示す概念図
【図９】第三の実施形態の冷蔵運転停止時における制御を示すフローチャート
【図１０】第四の実施形態の循環風路を示す概念図
【図１１】第五の実施形態における冷蔵室の下部及び野菜室の構造を示す概略的縦断側面図
【発明を実施するための形態】
【０００９】
以下、複数の実施形態について図面を参照しながら説明する。なお、複数の実施形態において実質的に同一の構成部位については、同一の符号を付し、説明を省略する。
＜第一の実施形態＞
第一の実施形態について、図１から図６を参照しながら説明する。
【００１０】
本実施形態の冷蔵庫は、庫内を庫外から断熱遮蔽する箱体１００の内部に、冷蔵室３００、野菜室３０４、上段冷凍室３１１、アイスルーム３１２及び下段冷凍室３１３を備える。図１に示すように、箱体１００内において、冷蔵室３００が最上段に配され、その下方に野菜室３０４が配され、さらにその下方に上段冷凍室３１１及びアイスルーム３１２が配され、再下段に下段冷凍室３１３が配されている。
【００１１】
以下、各部の位置や向きを説明するときは、特に断りのない限り、箱体１００の前面側から見たときの位置や向きを表すものとする。即ち、箱体１００の前面側（図１において紙面垂直表側。図２において左側。）を『手前』と表現し、背面側（図１において紙面垂直裏側。図２において右側。）を『奥』と表現する。また、箱体１００前面側から見て左方を『左』と表現し、右方を『右』と表現する。
【００１２】
図１に示すように、冷蔵室３００の前面には、冷蔵室３００を開閉する冷蔵室扉１０１が設けられている。冷蔵室扉１０１は、左扉１０１ａ及び右扉１０１ｂからなり、所謂観音開き式に開閉することができる。左扉１０１ａには、静電タッチセンサによる操作部１０２が設けられており、使用者は、この操作部１０２を通じて種々の設定を行うことができる。
【００１３】
図２に示すように、左扉１０１ａ及び右扉１０１ｂの裏面には、ポケット３１４が設けられおり、飲料のボトル等を収納することができる。図２に示すように、冷蔵室３００の内の最下段にはチルド室３０１が配されている。チルド室３０１は、上面が開口したチルド容器３０２と、チルド容器３０２の上方を覆う棚３１５とによって、冷蔵室３００内において他の領域と区画されている。チルド容器３０２は、前後に摺動可能となっており、チルド容器３０２の前面に設けられた手掛部３１６に手を掛けて引き出すことにより、チルド容器３０２から食品を出し入れすることができる。
【００１４】
図１に示すように、野菜室３０４の前面には、野菜室扉１０３が設けられている。野菜室扉１０３の前面のうち上部には、手掛部１０７が設けられており、この手掛部１０７に手を掛けて引き出すことにより、野菜室扉１０３を開閉することができる。図２に示すように、野菜室扉１０３の裏面には、野菜等の食品が投入される収納容器３０５が固定されており、野菜室扉１０３の開閉に連動して引き出される。収納容器３０５は、奥側上方に設けられた上段容器３２６と、下方に設けられた下段容器３２７とを備える。
【００１５】
図２に示すように、仕切棚３２４は、冷蔵室３００と野菜室３０４とを仕切るとともに、チルド容器３０２を摺動可能に支持する。仕切棚３２４の奥側には、連通口３０３が形成されており、冷蔵室３００内の空気が連通口３０３を通じて野菜室３０４に流れ込むようになっている。
【００１６】
図２に示すように、冷蔵室３００の奥面及び仕切棚３２４の下面には、それぞれ湿度センサ３０６及び３０７（以下、それぞれＲ湿度センサ３０６及びＶ湿度センサ３０７とする。）が設けられており、これらの湿度センサにより、各貯蔵室の相対湿度を測定することができる。また、図２には図示はされていないが、冷蔵室３００内のうちチルド室３０１の外部である位置には、温度センサ３１８（以下、Ｒ1温度センサ３１８とする。図５参照。）が設けられ、チルド室３０１内には、温度センサ３１９（以下、Ｒ2温度センサ３１９とする。図５参照。）が設けられ、野菜室３０４には、温度センサ３２０（以下、Ｖ温度センサ３２０とする。図５参照。）が設けられている。これらの温度センサにより、各貯蔵室の温度を測定することができる。
【００１７】
冷蔵室３００、チルド室３０１及び野菜室３０４は、いずれも冷蔵温度帯（例えば、０〜５℃）に属している。チルド室３０１と冷蔵室３００内の他の領域との間において、空気が完全には遮断されておらず、ある程度空気が出入りできるようになっている。野菜室３０４は、冷蔵室３００と連通口３０３によって接続されており、冷蔵室３００から野菜室３０４へ空気が流れるようになっている。空気の流れについては、後に詳述する。
【００１８】
上段冷凍室３１１、アイスルーム３１２及び下段冷凍室３１３は、いずれも冷凍温度帯（例えば、−１５〜−２５℃）に属し、それぞれ前面に上段冷凍室扉１０４、アイスルーム扉１０５及び下段冷凍室扉１０６が設けられている。また、これらの扉は、その前面にそれぞれ手掛部１０８、１０９及び１１０を有しており、これらの手掛部に手を掛けて引き出すことにより開閉できる。上段冷凍室３１１及び下段冷凍室３１３は、投入された食品を冷凍保存し、アイスルーム３１２は、図示しない製氷装置によって生成された氷を貯蔵する。
【００１９】
上段冷凍室３１１、アイスルーム３１２及び下段冷凍室３１３には、それぞれ温度センサ３２１（以下、Ｆ1温度センサ３２１とする。図５参照。）、温度センサ３２２（以下、Ｆ2温度センサ３２２とする。図５参照。）及び温度センサ３２３（以下、Ｆ3温度センサ３２３とする。図５参照。）が設けられている。これらの温度センサにより、各貯蔵室の温度を測定することができる。
【００２０】
図３は、本実施形態における冷媒回路２００を示す概念図である。図３において、冷媒は、圧縮機２０１から矢印Ａの方向に流れ、三方弁２０４に到達する。三方弁２０４は、制御装置４００（図５参照）によって制御されており、流路Ｂ及び流路Ｃのうち一方又は両方を選択する。流路Ｂは、冷蔵温度帯の貯蔵室（冷蔵室３００及び野菜室３０４）の冷却に供する流路であり、一方、流路Ｃは、冷凍温度帯の貯蔵室（上段冷凍室３１１、アイスルーム３１２及び下段冷凍室３１３）の冷却に供するものである。これら二つの流路は合流点Ｄにおいて合流し、冷媒はこの合流点Ｄから矢印Ｅの方向に流れて圧縮機２０１へと戻る。この冷媒の流れに沿って、冷媒回路２００を構成する各部について説明する。
【００２１】
圧縮機２０１において高圧となった冷媒は、放熱器２０２において冷却されて液体となる。放熱器２０２を通過した冷媒は、ドライヤー２０３によって吸湿されて三方弁２０４に到達する。三方弁２０４によって流路Ｂが選択されている場合、冷媒はキャピラリーチューブ２０５において減圧され、冷却器２０６において庫内の空気によって加熱されて気体となる。即ち、冷蔵温度帯の貯蔵室の空気は、冷却器２０６において冷媒の蒸発熱によって冷却される。一方、流路Ｃが選択されている場合、冷媒はキャピラリ―チューブ２０７において減圧され、冷却器２０８において庫内の空気によって加熱されて気体となる。即ち、冷凍温度帯の貯蔵室の空気は、冷却器２０８において冷媒の蒸発熱によって冷却される。流路Ｃの最下流には、逆止弁２０９が設けられている。これにより、合流点Ｄから流路Ｃに冷媒が逆流しないようになっている。
【００２２】
上記のように冷媒の流路を切り替えることにより、流路Ｂを選択した場合は、冷蔵室３００及び野菜室３０４を冷却する冷蔵運転を行い、流路Ｃを選択した場合は、上段冷凍室３１１、アイスルーム３１２及び下段冷凍室３１３を冷却する冷凍運転を行い、流路Ｂ及び流路Ｃの両方を選択した場合は、冷蔵運転と冷凍運転との両方を行う。詳しくは後述するが、冷蔵運転停止中（冷凍運転のみ行っている場合又は圧縮機２０１を停止している場合）において、冷蔵温度帯用の送風ファン３０８（図２参照）を駆動することにより、冷却器２０６に付着した霜を溶解及び蒸発させ、冷蔵温度帯の貯蔵室に湿気を供給することができる（除霜運転）。
【００２３】
図２及び図４を参照しながら、冷蔵温度帯の貯蔵室における空気の流れを説明する。図２に示すように、野菜室３０４の奥側には、排気口３１７が配されている。野菜室３０４内の空気は、排気口３１７から送風ファン３０８に導入され、送風ファン３０８によって冷却器２０６が設けられた冷却室３３３へ送られる。冷蔵運転中である場合（圧縮機２０１が作動し且つ三方弁２０４によって流路Ｂが選択されている場合）は、冷却器２０６によって空気は冷却され、冷蔵運転停止中である場合（圧縮機２０１が停止している場合、又は、圧縮機２０１が作動し且つ三方弁２０４によって流路Ｃのみが選択されている場合）は、冷却器２０６に付着した霜が溶けて蒸発することにより空気は加湿される。
【００２４】
冷却室３３３内において冷却器２０６の下流（冷却器２０６の上方）には、ダンパ３０９が設けられており、このダンパ３０９により風路αと風路βのうち一方が選択される。風路αが選択されている場合（図２においてダンパ３０９が実線で示す位置にある場合）、冷却器２０６を通過した空気は、風路αを通り、野菜室吹出口３１０から野菜室３０４に再度導入される。一方、風路βが選択されている場合（図２においてダンパ３０９が破線で示す位置にある場合）、冷却室３３３を通過した空気は、風路βを通り、図示しない冷蔵室吹出口から冷蔵室３００に導入される。冷蔵室３００内の空気は、冷蔵室３００の奥側下部（チルド室３０１の奥側）に設けられた連通口３０３を通じて、野菜室３０４に再度導入される。
【００２５】
ダンパ３０９は、非通電時において風路βが選択されるように、ばねによって付勢されている。これによって、万が一、故障によりダンパ３０９が作動しなくなっても、従来構成の冷蔵庫としては機能する。
【００２６】
本実施形態の冷蔵庫は、図５に示す制御系を備える。制御装置４００は、マイクロコンピュータを主体に構成されたものであり、操作部１０２、Ｒ1温度センサ３１８、Ｒ2温度センサ３１９、Ｖ温度センサ３２０、Ｆ1温度センサ３２１、Ｆ2温度センサ３２２、Ｆ3温度センサ３２３、Ｒ湿度センサ３０６及びＶ湿度センサ３０７からの入力と、予め備えた制御プログラムに基づき、操作部１０２、圧縮機２０１、三方弁２０４、送風ファン３０８、ダンパ３０９の制御を行う。駆動回路４０１〜４０４は、制御装置４００による制御信号に基づいて、それぞれ圧縮機２０１、三方弁２０４、送風ファン３０８及びダンパ３０９に駆動電圧を印加する。
【００２７】
本実施形態の冷蔵庫は、冷蔵運転停止中（圧縮機２０１停止中、又は、三方弁２０４が流路Ｃのみを選択しているとき）において、図６に示す制御を行い、冷蔵室３００と野菜室３０４の湿度を調節する。
【００２８】
冷蔵運転が停止すると（Ｓ１）、制御装置４００は、Ｒ湿度センサ３０６及びＶ湿度センサ３０７によって、それぞれ冷蔵室３００の湿度Ｈ(R)及び野菜室３０４の湿度Ｈ(V)を取得する（Ｓ２）。
【００２９】
Ｈ(V)がＨ(R)未満の場合（Ｓ３でＹｅｓ）は、Ｈ(V)と閾値Ｈthと比較する（Ｓ４）。ここで、Ｈthは、制御装置４００のＲＯＭに予め記憶された値であるが、操作部１０２からの操作によって選択できるようにしても良い。Ｈ(V)がＨth未満（Ｓ４でＹｅｓ）ならば、ダンパ３０９により風路αを選択した状態で送風ファン３０８を駆動して除霜運転を行い（Ｓ５）、冷蔵運転を再開すべき条件が充足されているか否かの判定を行う（Ｓ８）。一方、Ｈ(V)がＨth以上である（Ｓ４でＮｏ）ならば、除霜運転を行わずに、冷蔵運転を再開すべき条件が充足されているか否かの判定を行う（Ｓ８）。なお、詳しい説明は省略するが、『冷蔵運転を再開すべき条件』は、Ｒ1温度センサ３１８、Ｒ2温度センサ３１９、Ｖ温度センサ３２０等による測定値に関する条件であり、例えば、Ｒ1温度センサ３１８による検知温度がある閾値を上回った場合には冷蔵運転を再開する。
【００３０】
一方、Ｈ(V)がＨ(R)以上である場合（Ｓ３でＮｏ）は、Ｈ(R)と閾値Ｈthと比較する（Ｓ６）。Ｈ(R)がＨth未満（Ｓ６でＹｅｓ）ならば、ダンパ３０９により風路βを選択した状態で送風ファン３０８を駆動して除霜運転を行い（Ｓ７）、冷蔵運転を再開すべき条件が充足されているか否かの判定を行う（Ｓ８）。Ｈ(R)がＨth以上（Ｓ６でＮｏ）ならば、除霜運転を行わずに、冷蔵運転を再開すべき条件が充足されているか否かの判定を行う（Ｓ８）。
【００３１】
冷蔵運転を再開すべき条件が充足されていない場合（Ｓ８でＮｏ）、再度Ｓ２以降のステップを繰り返す。冷蔵運転を再開すべき条件が充足されている場合（Ｓ８でＹｅｓ）には、冷蔵運転を開始する（Ｓ９）。
【００３２】
空気が冷却器から冷蔵室を経由して野菜室に到達する風路を有する冷蔵庫においては、除霜運転を行った際に、容積の大きな冷蔵室に湿気が留まってしまい、野菜室に湿気が十分供給されないことがある。本実施形態によれば、第一湿度検知手段たるＶ湿度センサ３０７によって野菜室３０４の湿度を検知し、野菜室３０４の湿度が低い場合に、冷蔵室３００を経由しない風路αを用いて除霜運転を行うので、野菜室３０４に十分な湿気を供給することができる。
【００３３】
また、第二湿度検知手段たるＲ湿度センサ３０６によって冷蔵室３００の湿度を検知し、冷蔵室３００の湿度が低い場合には、冷蔵室３００と野菜室３０４との両方を含む風路を用いて除霜運転を行うので、冷蔵室３００にも適切な量の湿気を供給することができる。
【００３４】
＜第二の実施形態＞
第二の実施形態について、主に図７を参照しながら、第一の実施形態と異なる部分を中心に説明する。
本実施形態においては、３つの湿度センサの組み合わせによって、冷蔵室３００の湿度が検知される。具体的には、第一の実施形態と同様の位置に設けられたＲ湿度センサ３０６ａと、チルド容器３０２に臨む位置に設けられたＲ湿度センサ３０６ｂと、冷蔵室３００の上段側面に設けられた湿度センサ（図示せず）との組み合わせである。図６におけるＨ(R)としては、これら３つの湿度センサによる測定値のうち最も低い値を用いる。
【００３５】
また、３つの湿度センサの組み合わせによって、野菜室３０４の湿度が検知される。具体的には、仕切棚３２４の下面のうち手前側（下段容器３２７に臨む位置）に設けられたＶ湿度センサ３０７ａと、仕切棚３２４の下面のうち奥側（上段容器３２６の上方）に設けられたＶ湿度センサ３０７ｂと、野菜室３０４の内底面のうち奥側（排気口３１７の下方）に設けられたＶ湿度センサ３０７ｃとの組み合わせである。Ｖ湿度センサ３０７ｂは、野菜室吹出口３１０よりも左側にずらして配置している。これによって、除霜運転において、野菜室吹出口３１０から吹き出される湿度の高い空気が直接Ｖ湿度センサ３０７ｂに当たることによる誤検知や故障を防ぐことができる。Ｖ湿度センサ３０７ｃは、排気口３１７の付近に設けられているため、野菜室３０４を通過した後の空気の湿度を検知する。従って、Ｖ湿度センサ３０７ｃは、野菜室３０４内の空気の流れが悪くなって湿気が上部に留まってしまっている場合に、誤検知を起こさない。
【００３６】
図６におけるＨ(V)としては、これら３つの湿度センサによる測定値のうち最も低い値を用いるが、これら３つの湿度センサのうちいずれかが異常値を示す場合（例えば、除霜運転を行っても検知値が変化しない場合）、その湿度センサによる検知値は無視する。
【００３７】
食品の配置などにより、貯蔵室内において他の領域よりも湿度が低い領域が生じることがある。本実施形態によれば、各貯蔵室において、湿度を複数の湿度センサによって検知するので、貯蔵室内のある部分のみが湿度が低い場合にも湿度の低下を検知することができる。
【００３８】
＜第三の実施形態＞
第三の実施形態について、主に図８及び図９を参照しながら、第一の実施形態と異なる部分を中心に説明する。
図８に示すように、本実施形態の冷蔵庫は、第一の実施形態とは空気の流れが異なる。まず、図８を参照しながら空気の流れに沿って説明する。
送風ファン３０８から送られた空気は、冷却器２０６で冷却又は加湿され、分岐点γに到達する。分岐点γは、風路δと風路εとに空気の流れが分岐する点である。風路δは、分岐点γから野菜室３０４を通って合流点ζに繋がり、一方、風路εは、分岐点γからダンパ３０９及び冷蔵室３００を通って合流点ζに繋がる。合流点ζにおいて風路δと風路εは合流し、合流点ζから送風ファン３０８にさらに繋がっている。
【００３９】
ダンパ３０９は、風路εを開閉するものであり、制御装置４００によって制御される。ダンパ３０９が開状態である場合には、冷却器２０６を通過した空気は、分岐点γにおいて風路δ及び風路εの二手に分かれて循環する。一方、ダンパ３０９が閉状態である場合には、空気は、分岐点γから風路εへは流れず、風路δのみを通じて循環する。
【００４０】
本実施形態の冷蔵庫は、冷蔵運転停止中に、図９に示す制御を行い、冷蔵室３００と野菜室３０４との湿度を調節する。
冷蔵運転が停止すると（Ｓ１）、制御装置４００は、Ｒ湿度センサ３０６及びＶ湿度センサ３０７によって、それぞれ冷蔵室３００の湿度Ｈ(R)及び野菜室３０４の湿度Ｈ(V)を取得する（Ｓ１０）。
【００４１】
まず、Ｈ(V)と所定の閾値Ｈth(V)とを比較する（Ｓ１１）。Ｈ(V)がＨth(V)未満の場合（Ｓ１１でＹｅｓ）、ダンパ３０９を閉じた状態で送風ファン３０８を駆動し、風路δのみを通じた除霜運転を行い（Ｓ１２）、冷蔵運転を再開すべき条件が充足されているか否かの判定を行う（Ｓ１５）。
【００４２】
一方、Ｈ(V)がＨth(V)以上である場合（Ｓ１１でＮｏ）は、Ｈ(R)と所定の閾値Ｈth(R)とを比較する（Ｓ１３）。Ｈ(R)がＨth(R)未満ならば（Ｓ１３でＹｅｓ）、ダンパ３０９を開いた状態で送風ファン３０８を駆動し、風路ε及び風路δの両方を通じた除霜運転を行い（Ｓ１４）、その後、冷蔵運転を再開すべき条件が充足されているか否かの判定を行う（Ｓ１５）。Ｈ(R)がＨth(R)以上ならば（Ｓ１３でＮｏ）、除霜運転を行わずに、冷蔵運転を再開すべき条件が充足されているか否かの判定を行う（Ｓ１５）。
【００４３】
冷蔵運転を再開すべき条件が充足されていない場合（Ｓ１５でＮｏ）、再度Ｓ１０以降のステップを繰り返す。冷蔵運転を再開すべき条件が充足されている場合（Ｓ１５でＹｅｓ）には、冷蔵運転を開始する（Ｓ９）。
【００４４】
冷却器から送られた空気が分岐して冷蔵室と野菜室に導入される冷蔵庫においては、通常、野菜室への空気の吹出量は、冷蔵室への空気の吹出量と同等ないし冷蔵室よりも少なく設計されるので、除霜運転において十分な湿気を野菜室に供給できないことがある。本実施形態によれば、除霜運転において、第一湿度検知手段たるＶ湿度センサ３０７によって野菜室３０４の湿度を検知し、野菜室３０４の湿度が低い場合には、ダンパ３０９を閉じることによって、冷蔵室３００への湿気の供給を遮断して野菜室３０４に湿気を優先供給するので、野菜室３０４に十分な湿気を供給することができる。
【００４５】
また、第二湿度検知手段たるＲ湿度センサ３０６によって冷蔵室３００の湿度を検知し、冷蔵室３００の湿度が低い場合には、ダンパ３０９を開くことによって、冷蔵室３００と野菜室３０４との両方に湿気を供給するので、冷蔵室３００にも適切な量の湿気を供給することができる。
【００４６】
＜第四の実施形態＞
第四の実施形態について、主に図１０を参照しながら、第三の実施形態と異なる部分を中心に説明する。
図１０に示すように、本実施形態の循環風路は冷却器２０６の下流の分岐点γにおいて風路εと風路δとに分岐する。第三の実施形態と同様に、風路εは、冷蔵室３００へと繋がっており、ダンパ３０９が設けられている。一方、風路δは、野菜室３０４に繋がっている。
【００４７】
ダンパ３０９が開状態である場合には、冷却器２０６を通過した空気は、分岐点γにおいて風路δ及び風路εの二手に分かれて循環する。一方、ダンパ３０９が閉状態である場合には、空気は、分岐点γから風路εへは流れず、風路δのみを通じて循環する。
【００４８】
ダンパ３０９は、非通電時において開状態となるように、ばねによって付勢されている。これによって、万が一、故障によりダンパ３０９が作動しなくなっても、通常の冷蔵機能や湿気供給機能は損なわれない。
【００４９】
図１０に示すように、野菜室３０４は、風路εを通じた空気の流れに関して、冷蔵室３００の下流に存在する。即ち、ダンパ３０９が開状態の場合、野菜室３０４には、風路εから冷蔵室を経由した空気と風路δを通過した空気との両方が導入される。野菜室３０４を通過した空気は、第一の実施形態と同様に、排気口３１７を通じて再度送風ファン３０８に到達する。
【００５０】
本実施形態によれば、第三の実施形態と同様に、除霜運転において、野菜室３０４の湿度が低い場合には、ダンパ３０９を閉じることによって、冷蔵室３００への湿気の供給を遮断して野菜室３０４に湿気を優先供給するので、野菜室３０４に十分な湿気を供給することができる。
【００５１】
＜第五の実施形態＞
第五の実施形態について、主に図１１を参照しながら、第二の実施形態と異なる部分を中心に説明する。
図１１に示すように、本実施形態における野菜室３０４の収納容器３０５は、開閉蓋３２８を備える。開閉蓋３２８の奥側の端部は、上段容器３２６の手前側の壁部にヒンジ３３１を介して接続されており、開閉蓋３２８は、このヒンジ３３１を軸に回動することにより、下段容器３２７や開閉蓋３２８により区画される収納空間３３２を開閉することができる。下段容器３２７の奥側の壁面には、収納空間３３２の内外を連通する連通口３２９が設けられており、この連通口３２９には、湿度調節フィルタ３３０が設けられている。湿度調節フィルタ３３０は、湿度によって湿度透過量が変化する再生セルロースを用いたフィルタであり、収納空間３３２内が高湿度になった場合は、収納空間３３２内の湿気を外部へと排出して結露を防ぎ、低湿度になった場合には、収納空間３３２内の湿気を逃がさないようにして、結露による野菜などの水腐れを防止する機能を有する。湿度調節フィルタ３３０としては、再生セルロースを用いたもののほか、余分な水分をアルミパネルに結露させて集約し、その結露水を吸上部材によって吸い上げ、冷気で気化させてケースの外へ放出するもの等を用いることができる。この連通口３２９及び湿度調節フィルタ３３０によれば、収納空間３３２の湿度が極端に低い場合には、徐々に収納空間３３２内の湿度が下がってしまうものの、収納空間３３２の湿度が極端に低くなければ、収納空間３３２内を一定の高湿度に保つことができる。
【００５２】
なお、湿度調節フィルタ３３０を設けず、連通口３２９を小さくするだけでも、ある程度の効果を得ることができる。
本実施形態においては、Ｖ湿度センサ３０７ｂ及び３０７ｃの組み合わせによって、野菜室３０４内の湿度が検知され、第二の実施形態におけるＶ湿度センサ３０７ａの位置には、湿度センサが設けられていない。Ｖ湿度センサ３０７ｂは、仕切棚３２４の下面奥側（上段容器３２６の上方）のうち、野菜室吹出口３１０よりも左側となる位置に配置されている。一方、Ｖ湿度センサ３０７ｃは、野菜室３０４の内底面のうち奥側（排気口３１７の下方）に設けられている。
【００５３】
野菜室の収納容器に開閉蓋を備える冷蔵庫においては、開閉蓋の回動範囲に近い位置に湿度センサを設けると、開閉蓋が湿度センサに接触することによって、又は、開閉蓋が湿度センサ近傍に接触して衝撃が加わることによって、湿度センサが故障してしまう場合がある。本実施形態によれば、開閉蓋３２８の上方（仕切棚３２４の下面手前側）に湿度センサを設けないことによって、開閉蓋３２８と湿度センサとの接触による故障を防ぐことができる。
【００５４】
野菜室の収納容器に開閉蓋及び湿度調節用の開口を備える冷蔵庫においては、収納容器外の湿度が極端に低いと、収納容器内の湿度も低下してしまう。本実施形態によれば、野菜室３０４内のうち収納容器３０５の外部にＶ湿度センサ３０７ｂ及び３０７ｃを備え、これらの検知に基づいて除霜運転を行うので、収納容器３０５内の湿度の低下を防ぐことができる。特に、野菜室３０４内において、収納空間３３２外の湿度が低い場合には、冷蔵室３００を経由しない風路を用いて除霜運転を行い、収納空間３３２外の湿度を急速に回復するので、収納空間３３２外の湿度低下の影響が、収納空間３３２にあまり及ばない。
【００５５】
野菜の中には、玉ねぎ等のように高湿度にすると、かえって痛んでしまうものがある。高湿度下で保存すべき野菜と、やや低湿度で保存すべき野菜との両方の鮮度を保つためには、野菜室内に湿度の異なる２つの区画を設け、それぞれの区画を適当な湿度に保つのが好ましい。本実施形態によれば、開閉蓋３２８が設けられた収納空間３３２と、収納空間３３２の内外を連通し収納空間３３２内の湿気を適度に外部に排出する連通口３２９と、収納空間３３２の外部に設けられた収納棚（上段容器３２６）と、野菜室３０４のうち収納空間３３２の外部に設けられたＶ湿度センサ３０７ａ及び３０７ｂとを備えるので、収納空間３３２内を一定の高湿度に保ちつつ、上段容器３２６を収納空間３３２内よりもやや低い適切な湿度に保つことができる。特に、冷蔵室３００を経由しない風路αを用いて除霜運転を行うため、細やかな湿度調節を行うことができ、上段容器３２６を、調整の難しい中途半端な湿度に保つことができる。
【００５６】
＜その他の実施形態＞
第一及び第二の実施形態において、ダンパ３０９は風路αと風路βとのうちどちらか一方を選択するものであるが、風路αを通じた風量と、風路βを通じた風量とをダンパ３０９によって調整する構成とすることもできる。具体的には、図２において、ダンパ３０９を実線で示す位置と破線で示す位置との間の位置で停止すれば良い。この構成によれば、Ｒ湿度センサ３０６やＶ湿度センサ３０７による検知に基づいて、より細かな湿度調整が可能となる。同様に、第三及び第四の実施形態において、ダンパ３０９によって、風路εを通じた風量を調整する構成とすることもできる。
【００５７】
第一から第四の実施形態においては、冷蔵運転停止中に湿度Ｈ(R)や湿度Ｈ(V)が低下したときは、常に除霜運転を行う構成となっているが、Ｈ(R)やＨ(V)が低下しても除霜運転を行わない場合があってもよい。そのような構成によれば、除霜運転の頻度を下げることにより、消費電力を抑えることができる。
【００５８】
第五の実施形態において、開閉蓋３２８の替わりにスライド式の蓋を用いることができる。この場合、Ｖ湿度センサ３０７ｂ及び３０７ｃは、蓋の摺動方向に位置しないようにする。即ち、収納容器３０５の奥側の面に設ける場合においては、蓋の摺動面から上下にずらした位置にＶ湿度センサを配置し、望ましくは、仕切棚３２４の下面（第二の実施形態におけるＶ湿度センサ３０７ａないし３０７ｂの位置）又は野菜室３０４の底面（第二の実施形態におけるＶ湿度センサ３０７ｃの位置）にＶ湿度センサを配置する。これによって、Ｖ湿度センサ３０７ｂ及び３０７ｃが蓋の接触によって故障するのを防ぐことができる。
【００５９】
以上説明した少なくとも一つの実施形態によれば、冷蔵室への空気の供給を制限するダンパを有し、除霜運転において、野菜室に設けた湿度検知手段による検知に基づいてダンパを制御するので、野菜室に十分な湿気を供給することができる。
【００６０】
本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
図面中、２０１は圧縮機、２０６は冷却器、３００は冷蔵室、３０４は野菜室、３０６はＲ湿度センサ（第二湿度検知手段）、３０７はＶ湿度センサ（第一湿度検知手段）、３０８は送風ファン、３０９はダンパ、３３３は冷却室、４００は制御装置（制御手段）、α及びδは風路（第二風路）、β及びεは風路（第一風路）を示す。
【図１】
2017026221.tif 000003
【図２】
2017026221.tif 000004
【図３】
2017026221.tif 000005
【図４】
2017026221.tif 000006
【図５】
2017026221.tif 000007
【図６】
2017026221.tif 000008
【図７】
2017026221.tif 000009
【図８】
2017026221.tif 000010
【図９】
2017026221.tif 000011
【図１０】
2017026221.tif 000012
【図１１】
2017026221.tif 000013